(57)【要約】【課題】地震などの横荷重が作用しても十分な耐力が得られる基礎の施工方法を提供する。【解決手段】基礎の施工方法は、所定の幅を有する溝１０を第１方向へ掘削し、溝１０の、第１方向に交わる第２方向の端部において、第２方向に広がるように、斜め下方向に穴１３ａ，１３ｂを掘削し、溝１０および穴１３ａ，１３ｂ内に斜め下方向に延びる杭２１ａ，２１ｂを設け、杭の中へグラウト剤を充填し、溝１０および穴１３ａ，１３ｂ内にコンクリート３５ａ，３５ｂを打設する。【選択図】図７
2008019648.tif 000002
【特許請求の範囲】
【請求項１】
所定の幅を有する溝を第１方向へ掘削し、
前記溝の、前記第１方向に交わる第２方向の端部において、前記第２方向に広がるように、斜め下方向に穴を掘削し、
前記溝および穴内に前記斜め下方向に延びる杭を設け、杭の中へグラウト剤を充填し、
前記溝および穴内にコンクリートを打設する、基礎の施工方法。
【請求項２】
前記溝内に第１方向に鉄筋を配筋し、前記鉄筋の一部を前記杭に接続する、請求項１に記載の基礎の施工方法。
【請求項３】
前記穴の上部寸法は、下部寸法より小さい、請求項１または２に記載の基礎の施工方法。
【請求項４】
前記基礎は、布基礎である、請求項１から３のいずれかに記載の基礎の施工方法。
【請求項５】
前記基礎は、平面状の基礎である、請求項１から３のいずれかに記載の基礎の施工方法。
【請求項６】
平面状の基礎の施工方法であって、
前記基礎の中央部においては、直下に延びる杭を設け、
前記基礎の周辺部においては、前記周辺部の延びる方向に交わる方向に広がるように、斜め下方向に延びる杭を設ける、基礎の施工方法。
【発明の詳細な説明】
【技術分野】
【０００１】
この発明は、基礎の施工方法に関し、特に、地震に強い基礎の施工方法に関する。
【背景技術】
【０００２】
従来の、家のような構造物の基礎の施工方法が、たとえば、特開２００３−３４９２９号公報（特許文献１）に開示されている。特許文献１によれば、基礎用杭は木杭とコンクリート杭により構成され、両者が一体化された杭は地面に対して垂直にように設けられている。
【特許文献１】特開２００３−３４９２９号公報（要約）
【発明の開示】
【発明が解決しようとする課題】
【０００３】
従来の、家のような構造物の基礎の施工方法は上記のように行なわれていた。このような杭を用いた基礎であれば、基礎用杭を打ち込むときに斜めになることなく、垂直方向へ確実に打ち込むことができる。しかしながら、このような杭であれば、地震等によって横方向の力が基礎に作用したときに、十分な耐力が得られない場合があるという問題があった。
【０００４】
この発明は、上記のような従来の課題に鑑みてなされたもので、地震などの横荷重が作用しても十分な耐力が得られる基礎の施工方法を提供することを目的とする。
【課題を解決するための手段】
【０００５】
この発明に係る基礎の施工方法は、所定の幅を有する溝を第１方向へ掘削し、溝の、第１方向に交わる第２方向の端部において、第２方向に広がるように、斜め下方向に穴を掘削し、溝および穴内に斜め下方向に延びる杭を設け、杭の中へグラウト剤を充填し、溝および穴内にコンクリートを打設する。
【０００６】
好ましくは、溝内に第１方向に鉄筋を配筋し、鉄筋の一部を杭に接続する。
【０００７】
さらに好ましくは、第２の穴の上部寸法は、下部寸法より小さい。
【０００８】
なお、基礎は、布基礎であってもよいし、平面状の基礎であってもよい。
【０００９】
この発明の他の局面においては、平面状の基礎の施工方法は、基礎の中央部においては、直下に延びる杭を設け、基礎の周辺部においては、周辺部の延びる方向に交わる方向に広がるように、斜め下方向に延びる杭を設ける。
【発明の効果】
【００１０】
この発明においては、溝の延びる方向に交わる方向に広がるように、斜め下方向に杭を設け、溝およびの穴内にコンクリートを打設して基礎を施工するようにしたため、基礎の延びる方向に交わる方向に杭が設けられる。したがって、横方向の荷重が作用したときは、杭がその荷重に対抗する。
【００１１】
その結果、地震などの横荷重が作用しても十分な耐力が得られる基礎の施工方法を提供できる。
【発明を実施するための最良の形態】
【００１２】
以下、この発明の一実施の形態に係る基礎の施工方法を、図面を参照して説明する。図１〜図８はこの実施の形態に係る基礎の施工方法を順に示す図である。ここでは、基礎の延在する方向の断面を示している。
【００１３】
まず、図１に示すように、基礎を設ける位置を第１方向（紙面に交わる方向）に掘削することによって、所定の深さの溝１０を形成する。ついで、図２に示すように、掘削した溝１０の底部１１を転圧し、捨てコンクリート１２を打設して、所定の位置に地墨を打つ。次に、図３に示すように、所定の場所において、第１方向に交わる第２方向に広がるように、斜め下方向に、径１５０ｍｍ〜３５０ｍｍ、深さ３００〜８００ｍｍ程度の穴１３ａ、１３ｂを掘削する。この穴としては、上部より下部が広がるような穴を掘削する。
【００１４】
なお、この穴１３ａ，１３ｂは、必ずしも一直線状に設けることなく、溝１０の延在する第１方向に対して、千鳥足状に設けても良い。
【００１５】
この後、図４に示すように、できるだけ穴１３ａ，１３ｂの中央部に、鋼管杭２１ａ，２１ｂを斜め下方向にふんばるように設ける。鋼管杭２１ａ，２１ｂの外部にはかんざし筋２２ａ，２２ｂが設けられ、内部には鉄筋２３ａ，２３ｂが設けられる。この鉄筋２３ａ，２３ｂは、図示のない金具で鋼管杭２１ａ，２１ｂの中央に配置できるようにされている。鉄筋２３ａ，２３ｂはその上部で水平方向に曲げられ、相互に溝１０の中央部で接続してもよい。この鋼管杭２１ａを図１２に示す。図１２に示すように、鋼管杭２１ａは、上部に開口２１ｃを有し、その中央部に図示のない上記した金具が設けられる。上部の近傍にはかんざし筋２２ａが設けられている。かんざし筋は複数設けても良い。また、下端部２１ｄは尖塔型を有している。
【００１６】
このように配置された鋼管杭２１ａ，２１ｂの内部に、その開口部２１ｃから、流動性のよいモルタルまたはグラウト剤３２を容器３１等で充填する。こうすることによって、鋼管杭２１ａ，２１ｂと鉄筋２３ａ，２３ｂとは一体化される。この鉄筋２３ａ，２３ｂを図４に示すように上部で接続すれば、溝１０に交わる方向において、鋼管杭２１ａ，２１ｂが「ハ」の字状でふんばるため地震時の横方向の力に対して大きな抵抗となる。次いで、図５に示すように、鋼管杭２１ａ，２１ｂ内にモルタル３１等を充填する。
【００１７】
次に、図６に示すように、鉄筋２３の上に溝１０の延びる方向に横筋２４ａ，２４ｂ，２４ｃを配筋するとともに、鉄筋２３によって支持して、溝１０の上方向に延びる縦筋２５を設ける。この縦筋２５に沿って溝１０の延在する方向に横筋２６ａ，２６ｂおよび２６ｃを配筋する。その後、通常の基礎と同じように、配筋された鉄筋の周囲を型枠で覆い、穴１３ａ，１３ｂおよび溝１０の内部にコンクリート３５ａ，３５ｂおよび３６を打設するとともに、型枠内にコンクリート４０を打設して、図７に示す基礎を構成する。図７に示すように、このようにして形成された基礎５０に対して図中Ａで示すような力が作用したときは、鋼管杭２１ａがその力を受け、図中Ｂで示すような力が作用したときは、鋼管杭２１ｂがその力を受けるため、基礎５０に対してその延びる方向に交わる方向である横方向の力が作用しても十分に絶えることができる。また、ここでは、鋼管杭２１ａ，２１ｂを保持しているコンクリート３５ａ、３５ｂは下方向の寸法が上方向の寸法より大きいため、上記のような横方向の力が作用しても、引き抜きの力がかかる側のコンクリート３５ａ、３５ｂのいずれかは、容易に引き抜かれることはなく、引き抜きに大きな抵抗となる。
【００１８】
図８は、図７において、ＶＩＩＩ-ＶＩＩＩで示す部分の断面図である。なお、基礎４０の立上り部（縦筋２５を設けた部分）については、両端部のみを示している。図８を参照して、基礎４０には、長手方向に複数の「ハ」の字状の鋼管杭２１が設けられているため、十分な横方向に対する力を有している。
【００１９】
次に、このような、構成の基礎の具体的な構成例について説明する。図９は、図７に示した基礎を布基礎として使用した場合の布基礎を上方向から見た平面図である。図９を参照して、布基礎４２は４辺を有する矩形状であり、図７に示した基礎４０がそれぞれの辺に対応する。したがって、図中の鉄筋４１は、図７に示した横筋２６ａ等に対応し、図中、ＶＩＩ-ＶＩＩで示す部分が、図７に対応し、図中で布基礎４２の延在する方向に交わる方向に延びる符号４３ａ、４３ｂが鋼管杭２１ａ，２１ｂに対応する。なお、図８の両端部に示した立上り部は、図９における、ＶＩＩＩ-ＶＩＩＩで示す部分に対応する。
【００２０】
次に、このような基礎の他の施工例について説明する。図１０は、このような基礎の配置を平面状の基礎、たとえば、べた基礎に応用した場合の、べた基礎の平面図である。図１０を参照して、べた基礎４５は、矩形の平面状であり、４つの辺を有する。これらの４つの辺の外周部に沿って、上記した斜め下方向に延びる鋼管杭４６ａ，４６ｂが設けられ、内部には、垂直下方向に延びる通常の杭４９が設けられる。図１１は、図１０においてＸＩ-ＸＩで示す部分の断面図である。図１１に示すように、この場合は、図７に示した基礎において、縦筋２５が設けられた部分が存在せず、垂直下方向に延びる通常の杭４９ａの上部が、鉄筋２３に接続されている点が異なるだけで、それ以外の部分については、図７と同様であるので、同一部分に同一符号を付して、その説明は省略する。なお、この場合は、べた基礎４５を構成する各辺の頂点には対角線に沿って、「ハ」の字状に開いた鋼管杭４７が設けられる。
【００２１】
なお、上記実施の形態においては、鋼管杭を設けた斜め下方向に延びる穴は、その寸法が上が小さく、下が大きくなるようにしたが、これに限らず、同一寸法であってもよい。
【００２２】
また、上記実施の形態においては、鋼管杭を「ハ」の字状に設けた場合について説明したが、これに限らず、さらに垂直下方向に延びる杭を設けてもよい。
【００２３】
さらに、上記実施の形態においては、鋼管杭を「ハ」の字状に設けた場合について説明したが、これに限らず、布基礎、平面状の基礎いずれにおいても、基礎の外方向にのみ斜め下方向に広がるように、鋼管杭を設けても良い。
【００２４】
また、上記実施の形態においては、斜め下方向に延びる鋼管杭を設けた場合について説明したが、これに限らず、鋼管杭を設けることなく、斜め下方向に延びる鉄筋を設けてもよい。さらに、斜め下方向に延びる鋼管杭や鉄筋を設けることなく、コンクリートだけを斜め下方向に打ち込んでもよい。
【００２５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２６】
【図１】この発明の一実施の形態に係る基礎の施工手順を示す図において、まず溝を掘削した状態を示す図である。
【図２】溝に捨てコンを打設した状態を示す図である。
【図３】溝に斜め下方向に広がる穴を設けた状態を示す図である。
【図４】穴内に鋼管杭を設けた状態を示す図である。
【図５】穴内にコンクリートを打設した状態を示す図である。
【図６】溝内に配筋を行った状態を示す図である。
【図７】溝内に基礎を構成した状態を示す図である。
【図８】図７においてＶＩＩＩ−ＶＩＩＩで示す部分の矢視図である。
【図９】布基礎を示す平面図である。
【図１０】べた基礎を示す平面図である。
【図１１】図１０において、ＸＩ-ＸＩで示す部分の矢視図である。
【図１２】鋼管杭の斜視図である。
【符号の説明】
【００２７】
１０  溝、１１  底部、１２  捨てコン、１３  穴、２１  鋼管杭、２２  かんざし筋、２３  鉄筋、２４，２６  横筋、２５  縦筋、３５  コンクリート、４０  基礎。
【図１】
2008019648.tif 000003
【図２】
2008019648.tif 000004
【図３】
2008019648.tif 000005
【図４】
2008019648.tif 000006
【図５】
2008019648.tif 000007
【図６】
2008019648.tif 000008
【図７】
2008019648.tif 000009
【図８】
2008019648.tif 000010
【図９】
2008019648.tif 000011
【図１０】
2008019648.tif 000012
【図１１】
2008019648.tif 000013
【図１２】
2008019648.tif 000014